(57)【要約】【課題】  動画等のコンテンツを口コミ感覚で紹介し、その際、紹介情報に対する信憑性を高める。【解決手段】  配信装置から配信されるコンテンツを利用する情報通信端末であって、前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する。そして、配布が許可された場合に、前記配信装置から送信される署名付きの情報を受信し、受信した情報を端末間通信により他の情報通信端末に送信する。【選択図】図１
2007179223.tif 000002
【特許請求の範囲】
【請求項１】
配信装置から配信されるコンテンツを利用する情報通信端末であって、
前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する第一送信手段と、
配布が許可された場合に、前記配信装置から送信される署名付きの情報を受信する受信手段と、
受信した情報を端末間通信により他の情報通信端末に送信する第二送信手段とを含む
情報通信端末。
【請求項２】
前記情報通信端末はメール機能を有し、他の情報通信端末への送信は、自機が保持しているメールアドレス帳に基づきなされる
請求項１記載の情報通信端末。
【請求項３】
情報通信端末にコンテンツを配信する配信装置であって、
前記情報通信端末から送信される前記コンテンツに対するコメント及び当該コンテンツの識別情報を含む情報を受信する受信手段と、
受信した情報に含まれるコンテンツの識別情報が、自機が保持している前記情報通信端末に対応する購入履歴に存在するか否かを判定する判定手段と、
判断が肯定の場合に、前記受信した情報を編集し、署名を施す編集署名手段と、
編集し、署名を施した情報を前記情報通信端末に送信する送信手段と、
を含む配信装置。
【請求項４】
前記情報通信端末より受信する情報は、前記コンテンツの視聴履歴を含み、
前記判定手段は、さらに、
受信した情報に含まれるコンテンツの識別情報が、自機が保持している前記情報通信端末に対応する購入履歴に存在すると判定した場合に、前記コンテンツの視聴履歴が、自機が保持している前記コンテンツの視聴履歴が満たすべき条件を満たしているか否かを判定する
請求項３記載の配信装置。
【請求項５】
配信装置から配信されるコンテンツを利用する方法であって、
前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する第一送信ステップと、
配布が許可された場合に、前記配信装置から送信される署名付きの情報を受信する受信ステップと、
受信した情報を端末間通信により他の情報通信端末に送信する第二送信ステップとを含む方法。
【請求項６】
配信装置から配信されるコンテンツを利用する処理をコンピュータに行わせるコンピュータ読み取り可能なプログラムであって、
前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する第一送信コードと、
配布が許可された場合に、前記配信装置から送信される署名付きの情報を受信する受信コードと、
受信した情報を端末間通信により他の情報通信端末に送信する第二送信コードとを含む手順をコンピュータに行わせるコンピュータ読み取り可能なプログラム。
【請求項７】
配信装置から配信されるコンテンツを利用する処理をコンピュータに行わせるコンピュータ読み取り可能なプログラムを記録する記録媒体であって、
前記プログラムは、
前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する第一送信コードと、
配布が許可された場合に、前記配信装置から送信される署名付きの情報を受信する受信コードと、
受信した情報を端末間通信により他の情報通信端末に送信する第二送信コードとを含むコンピュータ読み取り可能なプログラムを記録する記録媒体。
【請求項８】
配信装置から配信されるコンテンツを利用する情報通信端末に設けられるシステム集積回路であって、
前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する第一送信手段と、
配布が許可された場合に、前記配信装置から送信される署名付きの情報を受信する受信手段と、
受信した情報を端末間通信により他の情報通信端末に送信する第二送信手段とを含むシステム集積回路。
【発明の詳細な説明】
【技術分野】
【０００１】
本発明は、映像や音声等のコンテンツの配信・紹介を行うシステムに関する。
【背景技術】
【０００２】
従来、映画や音楽等のコンテンツに対するコメントを提供する技術が開示されている。例えば、特許文献１では、コンテンツの配信を行う情報処理装置（以下、「配信装置」という）が、配信装置からコンテンツを購入したデジタルテレビや携帯電話等の情報通信端末（以下、「紹介装置」という）からコンテンツに対するコメント等の紹介情報を受け取り、受け取った紹介情報を当該配信装置の他の利用者に係る情報通信端末（以下、「被紹介装置」という）に対して送信することにより、コンテンツを紹介する方法が提案されている。
【特許文献１】特開２００２−２３０４１１号公報
【発明の開示】
【発明が解決しようとする課題】
【０００３】
しかしながら、従来の方法では、配信装置に格納されている顧客情報等に基づいて、配信装置が被紹介装置に対して紹介情報を送信していたため、紹介できる範囲が限られていた。今後のコンテンツビジネスの形態としては、市場調査の結果から判断するに、気に入ったコンテンツをすぐに知り合いに紹介する手段として口コミが主流になると想定され、コンテンツを口コミ感覚で紹介できる仕組みが切望されている。
【０００４】
ところで、前記仕組みでは、紹介情報の信憑性が問題になる。つまり、被紹介装置は、紹介装置に係るユーザが実際にコンテンツを購入し、視聴したうえで、当該コンテンツを紹介しているのか否かを判別することはできない。このため、被紹介装置に係るユーザは、信憑性の低い紹介情報に基づいてコンテンツの購入の可否を判断し、結果として、つまらないコンテンツを購入してしまうというケースが考えられる。
【０００５】
本発明は上記問題に鑑みてなされたものであって、一定の要求を満たす紹介情報を口コミ感覚で紹介できる情報通信端末を提供することを目的とする。
【課題を解決するための手段】
【０００６】
上記課題を解決するために、本発明は、配信装置から配信されるコンテンツを利用する情報通信端末であって、前記コンテンツを利用した後に、ユーザ入力に基づいて前記コンテンツに対するコメント及び当該コンテンツの識別情報を含む情報を作成し、作成した情報を前記配信装置に送信することにより、作成した情報の配布を許可するか否かの判定を要求する第一送信手段と、配布が許可された場合に、前記配信装置から送信される署名付きの情報を受信する受信手段と、受信した情報を端末間通信により他の情報通信端末に送信する第二送信手段とを含む情報通信端末である。
【０００７】
ここで、コンテンツを利用する情報通信端末であって、上述した手段を含む情報通信端末は、紹介装置を指し、他の情報通信端末は、被紹介装置を指すものとする。
【発明の効果】
【０００８】
本発明は、上記の構成を備えることにより、情報通信端末は、配信装置を介さずコンテンツに対するコメント及び当該コンテンツの識別情報を含む情報を任意の相手に送信することができるので、口コミ感覚での紹介を実現することができる。また、情報通信端末は、配信装置より配布許可を受けた場合のみ受信した情報を他の情報通信端末に送信することができるので、情報に対する信憑性を高めることができる。
【０００９】
ここで、前記情報通信端末はメール機能を有し、他の情報通信端末への送信は、自機が保持しているメールアドレス帳に基づきなされるとしても良い。
これにより、メールアドレス帳に登録されている任意の相手に、受信した情報を送信することができる。
ここで、情報通信端末にコンテンツを配信する配信装置であって、前記情報通信端末から送信される前記コンテンツに対するコメント及び当該コンテンツの識別情報を含む情報を受信する受信手段と、受信した情報に含まれるコンテンツの識別情報が、自機が保持している前記情報通信端末に対応する購入履歴に存在するか否かを判定する判定手段と、判断が肯定の場合に、前記受信した情報を編集し、署名を施す編集署名手段と、編集し、署名を施した情報を前記情報通信端末に送信する送信手段と、を含む配信装置としても良い。
【００１０】
なお、配信装置からコンテンツを配信される情報通信端末は、紹介装置を指すものとする。
これにより、配信装置は、自機からコンテンツを購入していない情報通信端末には情報の配布許可をせず、自機から前記コンテンツを購入した情報通信端末にのみ、情報の配布を許可するので、信憑性を担保することができる。
【００１１】
ここで、前記情報通信端末より受信する情報は、前記コンテンツの視聴履歴を含み、前記判定手段は、さらに、受信した情報に含まれるコンテンツの識別情報が、自機が保持している前記情報通信端末に対応する購入履歴に存在すると判定した場合に、前記コンテンツの視聴履歴が、自機が保持している前記コンテンツの視聴履歴が満たすべき条件を満たしているか否かを判定するとしても良い。
【００１２】
これにより、コンテンツを全く視聴しなかった場合等は、当該コンテンツに対するコメントを含む情報の配布を許可せず、条件を満たすだけの視聴をした場合に限り、配布を許可するので情報の信憑性を担保することができる。
【発明を実施するための最良の形態】
【００１３】
以下に、本発明の実施の形態について、コンテンツの配信・紹介システムを例に挙げて、図面を参照しながら説明する。以下の実施の形態では、コンテンツの配信・紹介システムにおいて、本発明に係る情報通信端末を、コンテンツを購入し紹介する紹介装置として説明する。具体的には、例えば携帯電話機である。
（第一実施形態）
＜システム構成＞
本発明に係る紹介装置の実施形態について説明する。先ず始めに、本発明に係る紹介装置の実施行為のうち、使用行為についての形態を説明する。本実施形態に係る紹介装置は、図１に示すようなコンテンツの配信・紹介システムでユーザの使用に供される。図１に示すコンテンツの配信・紹介システムは、紹介装置１００、配信装置２００、及び被紹介装置３００を含んで構成される。各装置は、ネットワーク４００を介して、相互に接続されている。
【００１４】
紹介装置１００は、配信装置２００から所望のコンテンツを購入し、購入したコンテンツを再生し、表示する。これにより、紹介装置１００に係るユーザは、購入したコンテンツを視聴することができる。コンテンツの視聴後にコンテンツの紹介を行う場合は、紹介装置１００は、ユーザ入力に基づいてコンテンツの紹介情報を作成し、紹介情報の配布許可を配信装置２００に対して求める。具体的には、紹介情報を含む配布許可依頼情報を配信装置２００に送信する。配布許可された場合は、配信装置２００から編集され、署名が施された紹介情報を受け取り、被紹介装置３００に送信する。
【００１５】
配信装置２００は、紹介装置１００からコンテンツの購入要求があれば、紹介装置１００にコンテンツを配信する。また、紹介装置１００から紹介情報の配布許可を求められると、既定の情報に基づいて配布許可するか否かの判定を行う。配布許可する場合には、紹介情報を編集・署名し、編集・署名した紹介情報を紹介装置１００に送信する。
被紹介装置３００は、紹介装置１００から送信される配信装置２００により編集・署名された紹介情報を受け取り、表示する。被紹介装置３００に係るユーザは表示された紹介情報を確認し、コンテンツを購入したい場合は配信装置２００からコンテンツを購入する。
【００１６】
以下に、紹介装置１００、配信装置２００、及び被紹介装置３００について詳細に説明する。
＜紹介装置１００の構成＞
図１に示すように紹介装置１００は、入出力部１１０、表示部１２０、ユーザ入力受付部１３０、再生処理部１４０、情報管理部１５０、及び制御部１６０を含んで構成される。情報管理部１５０は、コンテンツ管理部１５１、ライセンス管理部１５２、視聴履歴管理部１５３、紹介情報管理部１５４、配布許可紹介情報管理部１５５、及びメールアドレス管理部１５６を含む。また、紹介装置１００内の各部は相互接続を有する。
【００１７】
紹介装置１００は具体的にはマイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサが、前記コンピュータプログラムに従って動作することにより、紹介装置１００はその機能を達成する。
【００１８】
入出力部１１０は、各種情報の送受信を行う。具体的には、コンテンツを購入する際に、コンテンツ購入要求情報を配信装置２００に送信する。そして、コンテンツの購入要求に対し、配信装置２００より配信されるコンテンツとライセンスを受信する。また、配信装置２００に対してコンテンツの紹介情報の配布許可を行う場合に、配布許可依頼情報を送信する。そして、配布が許可される場合には、配信装置２００より送信される配布許可紹介情報を受信する。
【００１９】
表示部１２０は、再生処理部１４０により再生されたコンテンツを表示する。また、種々の情報を示す画面を表示する。
ユーザ入力受付部１３０は、ユーザからの入力を受け付ける。より詳細には、キー、ボタン等を含み、ボタンの押下等のユーザ操作を検出し、制御部１６０に通知する機能を有する。例えば、コンテンツを購入する際に、所望のコンテンツの選択を受け付ける。また、コンテンツの紹介情報を作成する際に、テキスト入力等により紹介コメントを受け付ける。
【００２０】
再生処理部１４０は、コンテンツを再生、停止する。また、コンテンツを再生、停止する毎にコンテンツの視聴履歴を作成する。
コンテンツ管理部１５１は、配信装置２００より送信されるコンテンツを格納する。
ライセンス管理部１５２は、配信装置２００より送信されるコンテンツに対応するライセンスを格納する。
【００２１】
視聴履歴管理部１５３は、再生処理部１４０により作成される視聴履歴を格納する。
紹介情報管理部１５４は、作成完了したコンテンツの紹介情報を格納する。
配布許可紹介情報管理部１５５は、入出力部１１０により受信される署名が施された配布許可紹介情報を格納する。
メールアドレス管理部１５６は、登録されているメールアドレスを管理する。
【００２２】
制御部１６０は、ユーザ入力受付部１３０からの通知により、種々の制御を行う。例えば、紹介情報管理部１５４により管理される紹介情報を表示部１２０に表示させる。また、紹介情報が作成済みか否かを判断し、作成済みの場合は、紹介情報、視聴履歴、及び端末IDより配布許可依頼情報を作成する。
＜配信装置２００の構成＞
続いて、図１に示すように配信装置２００は、入出力部２１０、情報管理部２２０、配布可否判定部２３０、及び配布許可紹介情報編集部２４０を含んで構成される。情報管理部２２０は、コンテンツ管理部２２１、ライセンス管理部２２２、顧客情報管理部２２３、配布許可視聴履歴条件管理部２２４、配布許可動画区間管理部２２５、署名管理部２２６、及び配布許可紹介情報管理部２２７を含む。配布可否判定部２３０は、顧客情報判定部２３１、視聴履歴判定部２３２、及び動画挿入判定部２３３を含む。配布許可紹介情報編集部２４０は、コンテンツ取得先情報処理部２４１、紹介動画情報処理部２４２、及び署名処理部２４３を含む。配信装置２００内の各部は相互接続を有する。
【００２３】
コンテンツ管理部２２１は、複数のコンテンツを格納している。また、紹介動画情報処理部２４２により作成される紹介用の動画情報を格納する。
ライセンス管理部２２２は、コンテンツ管理部２２１に格納されている複数のコンテンツのそれぞれに対応する複数のライセンスを格納している。
顧客情報管理部２２３は、コンテンツ購入要求情報を図３に示す購入履歴として格納する。
【００２４】
配布許可視聴履歴条件管理部２２４は、コンテンツ管理部２２１に格納されている複数のコンテンツのそれぞれに対応する配布許可視聴履歴条件を格納している。ここで、配布許可視聴履歴条件とは、配信装置２００が紹介情報の配布許可を行う為に、紹介装置１００が満たすべきコンテンツの利用度合いを意味する。
配布許可動画区間管理部２２５は、コンテンツ管理部２２１に格納されている複数のコンテンツのそれぞれに対応する配布許可動画区間条件を格納している。ここで、配布許可動画区間条件とは、配信装置２００が被紹介装置３００に対して提供可能な動画の区間を意味する。
【００２５】
署名管理部２２６は、配信装置２００の秘密鍵を管理する。
配布許可紹介情報管理部２２７は、署名処理部２４３により署名を施された配布許可紹介情報を格納する。
顧客情報判定部２３１は、顧客情報管理部２２３から紹介装置１００の端末ＩＤに対応する購入履歴を取得する。そして、入出力部２１０で受信される配布許可依頼情報に含まれるコンテンツ名が、取得した購入履歴に含まれるコンテンツ名に存在するか否かを判定する。
【００２６】
視聴履歴判定部２３２は、配布許可視聴履歴条件管理部２２４から紹介情報に記述されるコンテンツ名に対応する配布許可視聴履歴条件を取得する。そして、入出力部２１０で受信される配布許可依頼情報に含まれる視聴履歴が、取得した配布許可視聴履歴条件を満たしているか否かを判定する。
動画挿入判定部２３３は、配布許可動画区間管理部２２５から紹介情報に記述されるコンテンツ名に対応する配布許可動画区間条件を取得する。そして、入出力部２１０で受信される配布許可依頼情報に含まれる紹介動画区間を取り出し、取得した配布許可動画区間条件と比較を行い、条件を満たしているか否かを判定する。
【００２７】
コンテンツ取得先情報処理部２４１は、配布許可依頼情報に対して、配布許可する情報に不要な情報を削除し、配信装置２００のコンテンツ取得先を追加する処理を行う。
紹介動画情報処理部２４２は、コンテンツ取得先情報処理部２４１において処理された配布許可依頼情報を元に、紹介用の動画情報の作成と、前記動画情報の作成に伴う配布許可依頼情報を編集する処理を行う。
【００２８】
署名処理部２４３は、紹介動画情報処理部２４２により処理された配布許可紹介情報に署名処理を行う。
＜被紹介装置３００の構成＞
被紹介装置３００は、入出力部３１０、表示部３２０、ユーザ入力受付部３３０、再生処理部３４０、情報管理部３５０、及び制御部３６０を含んで構成される。情報管理部３５０は、コンテンツ管理部３５１、ライセンス管理部３５２、及び配布許可紹介情報管理部３５３を含む。被紹介装置３００内の各部は相互接続を有する。
【００２９】
入出力部３１０は、紹介装置１００より送信される配布許可された紹介情報を受信する。
表示部３２０は、紹介情報表示画面を表示する。
ユーザ入力受付部３３０は、ユーザ入力を受け付ける。
再生処理部３４０は、コンテンツを再生、停止する。
【００３０】
コンテンツ管理部３５１は、紹介情報を確認した後、コンテンツを購入した場合に、配信装置２００より配信されるコンテンツを格納する。
ライセンス管理部３５２は、配信されるコンテンツに対応するライセンスを格納する。
配布許可紹介情報管理部３５３は、入出力部３１０により受信される配布許可紹介情報を格納する。
【００３１】
制御部３６０は、ユーザ入力受付部３３０からの通知により、種々の制御を行う。例えば、配布許可紹介情報管理部３５３に格納している配布許可紹介情報を表示部３２０に表示させる。
＜データ＞
続いて、本システムで用いられる各データ構成について説明する。
【００３２】
まず、紹介装置１００がコンテンツを購入する際に配信装置２００に送信するコンテンツ購入要求情報２０について説明する。図２に示すようにコンテンツ購入要求情報２０は、コンテンツ名２１、端末ＩＤ２２、及びクレジット番号２３から構成される。
コンテンツ名２１は、コンテンツに付与されている名称である。
端末ＩＤ２２は、各端末に割り当てられている識別番号である。
【００３３】
クレジット番号２３は、コンテンツの購入の際に利用するクレジットカードの番号である。
コンテンツ購入要求情報２０を受信する配信装置２００は、図３に示すように、コンテンツ購入要求情報２０を購入履歴３０として保持する。
続いて、コンテンツの視聴履歴４０について説明する。図４に示すように視聴履歴４０は、コンテンツ名２１、再生開始ポイント４１、再生終了ポイント４２、及び再生時間４３から構成される。
【００３４】
再生開始ポイント４１は、コンテンツの初めの部分からコンテンツの再生を開始した部分までの時間である。
再生終了ポイント４２は、コンテンツの初めの部分からコンテンツの再生を終了した部分までの時間である。
再生時間４３は、再生開始ポイント４１から再生終了ポイント４２までの時間である。
【００３５】
続いて、紹介情報５０について図５を用いて説明する。図５に示すように紹介情報５０は、コンテンツ名２１、紹介コメント５１、及び紹介動画区間５２から構成される。
紹介コメント５１は、紹介装置１００が紹介するコンテンツに対するコメントである。
紹介動画区間５２は、紹介装置１００が紹介するコンテンツに対する紹介用の動画区間である。
【００３６】
続いて、紹介装置１００が紹介情報の配布許可を求める際に配信装置２００に送信する配布許可依頼情報について図６を用いて説明する。図６に示すように配布許可依頼情報６０は、コンテンツ名２１、紹介コメント５１、紹介動画区間５２、端末ＩＤ２２、及びコンテンツ名に対応するコンテンツに関する全ての視聴履歴４０（再生開始ポイント４１、再生終了ポイント４２、及び再生時間４３）から構成される。
【００３７】
続いて、配信装置２００に格納されている配布許可視聴履歴条件について図７を用いて説明する。図７に示すように配布許可視聴履歴条件７０は、コンテンツ名２１と、視聴履歴条件７１とから構成される。
視聴履歴条件７１は、配信装置２００が配布許可紹介情報を作成する為に、紹介装置１００に係るコンテンツの視聴履歴が満たすべき条件である。
【００３８】
図７の配布許可視聴履歴条件は、コンテンツ名「ＡＡＡＡＡ」に対して、視聴履歴条件は「コンテンツを１回以上再生」が設定されている。これは、コンテンツ名「ＡＡＡＡＡ」のコンテンツに対して、対応する視聴履歴にコンテンツの再生が１回以上記述されていない場合、配信装置２００において紹介動画の作成が行われない事を意味する。
また、コンテンツ名「ＢＢＢＢＢ」に対して、視聴履歴条件は「コンテンツを２０分以上再生」が設定されている。これは、コンテンツ名「ＢＢＢＢＢ」のコンテンツに対して、対応する視聴履歴にコンテンツの再生が２０分以上記述されていない場合、配信装置２００において紹介動画の作成が行われない事を意味する。
【００３９】
また、コンテンツ名「ＣＣＣＣＣ」に対して、視聴履歴条件は「コンテンツの開始５分から開始１０分までの区間を再生」が設定されている。これは、コンテンツ名「ＣＣＣＣＣ」のコンテンツに対して、対応する視聴履歴にコンテンツの再生がコンテンツの開始５分から開始１０分までの区間が記述されていない場合、配信装置２００において紹介動画の作成が行われない事を意味する。
【００４０】
また、コンテンツ名「ＺＺＺＺＺ」に対して、視聴履歴条件は「コンテンツを３回以上再生」と「コンテンツを２０分以上再生」が設定されている。これは、コンテンツ名「ＺＺＺＺＺ」のコンテンツに対して、対応する視聴履歴にコンテンツの再生が３回以上且つ２０分以上記述されていない場合、配信装置２００において紹介動画の作成が行われない事を意味する。
【００４１】
続いて、配信装置２００に格納されている配布許可動画区間条件について図８を用いて説明する。図８に示すように配布許可動画区間条件８０は、コンテンツ名２１と、動画区間条件８１とから構成される。
動画区間条件８１は、配信装置２００が紹介動画情報を作成する為に、配布許可依頼情報に指定されている紹介動画区間が満たすべき条件である。つまり、配信装置２００が被紹介装置３００に対して提供可能な動画の区間を意味する。
【００４２】
図８の配布許可動画区間条件８０は、コンテンツ名「ＡＡＡＡＡ」のコンテンツに対して、動画区間条件は「コンテンツの開始０分から開始３分までの区間を含む」が設定されている。これは、配布許可依頼情報の紹介動画区間において、少なくともコンテンツの開始０分から開始３分までの区間を含んでいなければならない事を意味する。
また、コンテンツ名「ＢＢＢＢＢ」のコンテンツに対して、動画区間条件は「コンテンツの任意の区間を含む」が設定されている。これは、配布許可依頼情報の紹介動画区間において、コンテンツの何れかの部分が含まれていなければならない事を意味する。
【００４３】
また、コンテンツ名「ＣＣＣＣＣ」のコンテンツに対して、動画区間条件は「コンテンツの開始０分から開始３分までの区間の一部を含む」が設定されている。これは、配布許可依頼情報の紹介動画区間において、少なくともコンテンツの開始０分から開始３分までの区間の一部を含んでいなければならない事を意味する。
また、コンテンツ名「ＺＺＺＺＺ」のコンテンツに対して、動画区間条件は「コンテンツの開始５分から開始１０分までの区間を含まない」と「コンテンツの開始２０分から開始３０分までの区間を含む」が設定されている。これは、配布許可依頼情報の紹介動画区間において、コンテンツの開始５分から開始１０分までの区間を含んでいてはならない、且つ、少なくともコンテンツの開始２０分から開始３０分までの区間を含んでいなければならない事を意味する。
【００４４】
続いて、図９、図１０は所定の処理を経た後の配布許可依頼情報について示す。図９に示す配布許可依頼情報９０は、コンテンツ名２１、紹介コメント５１、及び紹介動画区間５２とから構成される。図１０に示す配布許可依頼情報１０００は、コンテンツ名２１、紹介コメント５１、紹介動画区間５２、及びコンテンツ取得先情報１００１とから構成される。
【００４５】
コンテンツ取得先情報１００１は、配信装置２００のコンテンツ購入画面へアクセスする為のＵＲＬ（例えば、ｈｔｔｐ．／／ｗｗｗ．ＣｏｎｔｅｎｔＳｈｏｐｐｉｎｇ．ｃｏｍ／ｉｎｄｅｘ．ｈｔｍｌ）である。
図９、図１０について詳しくは後述する。
続いて、配布許可紹介情報について図１１を用いて説明する。図１１に示すように配布許可紹介情報１１００は、コンテンツ名２１、紹介コメント５１、コンテンツ取得先情報１００１、及び紹介動画取得先情報１１０１から構成される。
【００４６】
紹介情報取得先情報１１０１は、配信装置２００のコンテンツ管理部２２１が格納している紹介用の動画情報へアクセスする為のＵＲＬ（例えば、ｈｔｔｐ．／／ｗｗｗ．ＣｏｎｔｅｎｔＳｈｏｐｐｉｎｇ．ｃｏｍ／ＣｏｎｔｅｎｔＭａｎａｇｅｍｅｎｔ／ＡＡＡＡＡ−ｓａｍｐ．ｍｐｇ）である。
＜動作＞
続いて、各装置の動作について説明する。
（システムにおける全体の流れ）
図１２、１３にシステムにおける全体の処理の流れを説明する。まず、紹介装置１００は、所望のコンテンツを配信装置２００から購入するためのコンテンツ購入要求処理を行う（ステップＳ１００）。配信装置２００は、コンテンツ購入要求処理により送信されるコンテンツ購入要求情報を受信すると（ステップＳ２００）、紹介装置１００にコンテンツを配信するためのコンテンツ配信処理を行う（ステップＳ３００）。紹介装置１００は、配信処理により配信されるコンテンツ、ライセンスを受信し、格納する（ステップＳ４００）。続いて、受信したコンテンツにおいて、コンテンツの視聴処理を行い（ステップＳ５００）、そのコンテンツを被紹介装置３００に紹介するための紹介情報を作成する紹介情報作成処理を行う（ステップＳ６００）。紹介情報を作成すると、紹介装置１００は、配信装置２００に対して作成した紹介情報の配布許可を求めるための紹介情報の配布許可依頼処理を行う（ステップＳ７００）。配信装置２００は、配布許可依頼情報を受信すると（ステップＳ８００）、配布を許可するか否かの配布許可判定処理を行う（ステップＳ９００）。許可しない場合には、紹介装置１００にエラー情報を送信する。紹介装置１００はエラー情報を受信すると（ステップ１０００でＹｅｓ）、処理を終了する。許可する場合には、配布許可紹介情報編集処理を行い（ステップＳ１１００）、署名処理を行う（ステップＳ１２００）。そして、署名を施した配布許可紹介情報を紹介装置１００に送信する（ステップＳ１３００）。紹介装置１００は、配信装置２００より送信される配布許可紹介情報を受信し、格納する（ステップＳ１４００）。そして、例えば、メールアドレス管理部１５６により管理されているメールアドレスに基づいて、配布許可紹介情報を被紹介装置３００に送信することでコンテンツの紹介を行う（ステップＳ１５００）。被紹介装置３００は、紹介装置１００より配布許可紹介情報を受信すると（ステップＳ１６００）、検証処理を行う（ステップＳ１７００）。
【００４７】
続いて以下に、それぞれの処理の詳細について図１４から図２２を用いて説明する。
（紹介装置１００のコンテンツ購入要求処理）
図１４は所望のコンテンツを配信装置２００から購入するためのコンテンツ購入要求処理を示すフローチャートである。まず、ユーザ入力受付部１３０は、ユーザより配信装置２００が配信可能な複数のコンテンツから所望のコンテンツの選択を受け付け、制御部１６０はユーザ入力に基づきコンテンツを選択する（ステップＳ１０１）。コンテンツを選択すると、続いてユーザよりクレジット番号の入力を受け付ける（ステップＳ１０２）。その後、ユーザよりコンテンツの購入の取り消しを受け付けた場合は（ステップＳ１０３でＹｅｓ）、コンテンツの購入処理を異常終了し、そうでない場合は（ステップＳ１０３でＮｏ）、入出力部１１０は、図２に示すようなコンテンツ購入要求情報２０を配信装置２００に送信し（ステップＳ１０４）、処理を正常終了する。
【００４８】
（配信装置２００のコンテンツ配信処理）
コンテンツ購入要求情報２０を受信すると、コンテンツ購入要求情報２０に含まれるクレジット番号の照合を行い、クレジット番号が有効か否かを判定する（ステップＳ３０１）。クレジット番号が無効の場合は、入出力部２１０は紹介装置１００にエラーメッセージを送信し（ステップＳ３０２）、異常終了する。クレジット番号が有効の場合は、顧客情報管理部２２３は、受信したコンテンツ購入要求情報２０を当該紹介装置１００における購入履歴として格納する（ステップＳ３０３）。そして、入出力部２１０は、購入要求のあったコンテンツとライセンスを紹介装置１００に送信し（ステップＳ３０４）、処理を正常終了する。
【００４９】
（紹介装置１００のコンテンツ視聴処理）
コンテンツの再生要求を受け付けると（ステップＳ５０１でＹｅｓ）、再生処理部１４０はコンテンツを再生し、表示部１２０は再生されたコンテンツを表示する（ステップＳ５０２）。再生処理部１４０は、コンテンツの停止要求を受け付けるまで再生を継続し（ステップＳ５０３でＮｏ）、停止要求を受け付けると（ステップＳ５０３でＹｅｓ）、コンテンツの利用実績を視聴履歴として作成する（ステップＳ５０４）。再びコンテンツの再生要求を受け付けると（ステップＳ５０５でＹｅｓ）、再生処理部１４０は、コンテンツを再生する。再生要求がなければ、処理を終了する。
【００５０】
（紹介装置１００の紹介情報作成処理）
ユーザ入力受付部１３０は、紹介情報の作成の対象となるコンテンツの選択をユーザより受け付け、制御部１６０は、ユーザ入力に基づきコンテンツを選択する（ステップＳ６０１）。コンテンツに対する紹介コメントをユーザよりテキスト入力で受け付ける（ステップＳ６０２）。紹介動画区間をユーザよりテキスト入力で受け付ける（ステップＳ６０３）。紹介情報管理部１５４は、作成した紹介情報を格納する（ステップ６０４）。
【００５１】
（紹介装置１００の紹介情報配布許可依頼処理）
制御部１６０は、紹介するコンテンツの紹介情報が作成済みか否かを判断する（ステップＳ７０１）。紹介情報が作成されていなければ、処理を終了する。紹介情報が作成済みであれば、紹介情報、視聴履歴、及び端末IDより配布許可依頼情報を作成する（ステップＳ７０２）。入出力部１１０は、作成した配布許可依頼情報を配信装置２００に送信する（ステップＳ７０３）。
【００５２】
（配信装置２００の配布許可判定処理）
配布許可依頼情報を受信した後まず、配布可否判定部２３０における顧客情報判定部２３１は、顧客情報管理部２２３から、紹介装置１００の端末ＩＤに対応する購入履歴を取得する（ステップＳ９０１）。そして、顧客情報判定部２３１は、購入履歴に含まれるコンテンツ名に、配布許可依頼情報に含まれるコンテンツ名が存在するか否かを判定する（ステップＳ９０２）。購入履歴に含まれるコンテンツ名に、配布許可依頼情報に含まれるコンテンツ名が存在しない場合、エラー情報を作成し（ステップＳ９０３）、配信装置２００から紹介装置１００に対して、エラー情報を送信し（ステップＳ９０４）、配信装置２００における処理を終了する。エラー情報は、例えば、「コンテンツの購入が行われていません。配布許可紹介情報は作成できません。」等のテキスト情報である。購入履歴に含まれるコンテンツ名に、配布許可依頼情報に含まれるコンテンツ名が存在した場合、配布可否判定部２３０における視聴履歴判定部２３２は、配布許可視聴履歴条件管理部２２４から、紹介情報に記述されるコンテンツ名に対応する配布許可視聴履歴条件を取得する（ステップＳ９０５）。そして、視聴履歴判定部２３２は、配布許可依頼情報に含まれる視聴履歴が配布許可視聴履歴条件を満たしているか否かの判定を行う（ステップＳ９０６）。配布許可依頼情報に含まれる視聴履歴が、配布許可視聴履歴条件を満たさない場合、エラー情報を作成し（ステップＳ９０３）、配信装置２００から紹介装置１００に対して、エラー情報を送信し（ステップＳ９０４）、配信装置２００における処理を終了する。エラー情報は、例えば、「コンテンツが十分視聴されていません。配布許可紹介情報は作成できません。」等のテキスト情報である。配布許可依頼情報に含まれる視聴履歴が、配布許可視聴履歴条件を満たす場合、配布可否判定部２３０における動画挿入判定部２３３は、配布許可動画区間管理部２２５から、配布許可動画区間条件を取得する（ステップＳ９０７）。そして、配布許可依頼情報に含まれる紹介動画区間が配布許可動画区間条件を満たしているか否かの判定を行う（ステップＳ９０８）。動画挿入判定部２３３は、配布許可依頼情報に含まれる紹介動画区間を取り出し、配布許可動画区間条件と比較を行い、配布許可依頼情報に含まれる紹介動画区間が、配布許可動画区間条件を満たさない場合、エラー情報を作成し（ステップＳ９０３）、配信装置２００から紹介装置１００に対して、エラー情報を送信し（ステップＳ９０４）、配信装置２００における処理を終了する。エラー情報は、例えば、「指定された区間の動画の提供が拒否されました。配布許可紹介情報は作成できません。」等のテキスト情報である。配布許可依頼情報に含まれる紹介動画区間が、配布許可動画区間条件を満たす場合、配布可否判定部２３０は、配布許可依頼の内容に対して、配布許可紹介情報の作成を許可する（ステップＳ９０９）。
【００５３】
続いて、配信装置２００は、配布許可紹介情報の作成の為に、配布許可紹介情報編集部２４０に処理を移す。
（配信装置２００の配布許可紹介情報編集処理）
コンテンツ取得先情報処理部２４１は、受信した配布許可依頼情報から端末IDと視聴履歴を削除する（ステップＳ１１０１）。そして、配信装置２００のコンテンツ取得用URLを追加する（ステップＳ１１０２）。紹介動画情報処理部２４２は、コンテンツ名に対応するコンテンツを取得し、紹介動画区間に相当する部分を作成し（ステップＳ１１０３）、作成した紹介用の動画情報をコンテンツ管理部２２１に格納する（ステップＳ１１０４）。そして、紹介動画情報処理部２４２は、配布許可依頼情報から紹介動画区間を削除し（ステップＳ１１０５）、紹介用の動画情報の取得先情報を追加する（ステップＳ１１０６）。
（配信装置２００の署名処理）
署名処理部２４３は、紹介動画情報処理部２４２で作成した配布許可紹介情報に対して、ハッシュ値を計算する（ステップＳ１２０１）。そして、署名処理部２４３は、署名管理部２２６で管理している配信装置２００の秘密鍵を取得する（ステップＳ１２０２）。次に、署名処理部２４３は、配信装置２００の秘密鍵を用いて、配布許可紹介情報のハッシュ値の暗号化を行う（ステップＳ１２０３）。配布許可紹介情報と上記暗号化を行ったハッシュ値の情報を併せて、署名を施した配布許可紹介情報とする。最後に、署名処理部２４３は、署名を施した配布許可紹介情報を、配布許可紹介情報管理部２２７に格納する（ステップＳ１２０４）。
【００５４】
上記配布許可紹介情報編集部２４０の各処理によって、配布許可紹介情報編集部２４０は、配布許可依頼情報を元にして、紹介用の動画情報と、配布許可紹介情報と、暗号化した配布許可紹介情報のハッシュ値を作成する。配信装置２００は、配布許可紹介情報編集部２４０の処理が終了した後、署名を施した配布許可紹介情報を紹介装置１００へ送信する（ステップＳ１３００）。そして、署名を施した配布許可紹介情報を受信した紹介装置１００は、署名を施した配布許可紹介情報を、紹介装置１００の配布許可紹介情報管理部１５５に格納し（ステップＳ１４００）、署名を施した配布許可紹介情報を被紹介装置３００に送信する（ステップＳ１５００）。
（被紹介装置３００の検証処理）
被紹介装置３００は、受信した署名を施した配布許可紹介情報に含まれる配布許可紹介情報のハッシュ値の計算を行う（ステップＳ１７０１）。また、被紹介装置３００は、署名を施した配布情報に含まれる暗号化されたハッシュ値を、配信装置２００の公開鍵を用いて復号する（ステップＳ１７０２）。そして、被紹介装置３００は、署名を施した配布許可紹介情報に含まれる配布許可紹介情報のハッシュ値と、復号したハッシュ値とが同一か否かを判定する。（ステップＳ１７０３）。ハッシュ値が等しければ、被紹介装置３００が受信した署名を施した配布許可紹介情報の内容は改竄されておらず、また、ハッシュ値が異なれば、被紹介装置３００が受信した署名を施した配布許可紹介情報は内容が改竄されている。よって、被紹介装置３００は、内容が改竄されていない場合に限り、署名が施された配布許可紹介情報、つまり、配布許可紹介情報と、暗号化されたハッシュ値とを配布許可紹介情報管理部３５３に格納する（ステップＳ１７０４）。
＜具体例＞
続いて、紹介装置１００が、配信装置２００からコンテンツ名が「ＡＡＡＡＡ」であるコンテンツを購入し、そのコンテンツを被紹介装置３００に紹介する場合について、具体的に説明する。
（コンテンツの取得、利用について）
まず、紹介装置１００が配信装置２００からコンテンツ名が「ＡＡＡＡＡ」であるコンテンツを取得し、コンテンツを利用する処理について具体的に説明する。
【００５５】
配信装置２００が持つコンテンツの利用を行いたいユーザは、ネットワーク４００に接続されている複数の配信装置から、利用したいコンテンツを探す。一般にコンテンツとは、静止画・動画・音楽等のデータ全般を指すが、本実施の形態においては、コンテンツは動画を指す事とする。そして、ユーザが利用したいコンテンツを発見した場合、紹介装置１００に係る表示部１２０は、コンテンツ購入要求処理を行う為、例えば図２３に示すようなコンテンツ購入画面２３００を表示する。図２３は、配信装置２００が紹介装置１００に対して配信可能なコンテンツの一覧の画面を示している。コンテンツ購入画面は、アクション２３１０、コンテンツ名２３２０、利用条件２３３０、及び値段２３４０から構成される。
【００５６】
アクション２３１０とは、各コンテンツに対して、ユーザが行う操作である。具体的には、各コンテンツに対するアクションとして、コンテンツの購入を行う為の「購入確認」の項目が設定されている。
コンテンツ名２３２０とは、各コンテンツに付与されている名称である。
利用条件２３３０とは、各コンテンツを利用する際の制限事項である。
【００５７】
値段２３４０とは、各コンテンツを購入する際に必要な金額である。
図２３に示すように、購入を行う事ができるコンテンツは、
（ａ）コンテンツ名が「ＡＡＡＡＡ」、利用条件が「１時間利用可能」、値段が「５０円」のコンテンツと、
（ｂ）コンテンツ名が「ＢＢＢＢＢ」、利用条件が「５回利用可能」、値段が「１５０円」のコンテンツと、
（ｃ）コンテンツ名が「ＣＣＣＣＣ」、利用条件が「１ヶ月利用可能」、値段が「２００円」のコンテンツと、
（ｄ）コンテンツ名が「ＺＺＺＺＺ」、利用条件が「０５／０６／１０の終日迄利用可能」、値段が「１０００円」のコンテンツの４種類である。
【００５８】
コンテンツ購入画面２３００において、ユーザ入力受付部１３０は、ユーザよりコンテンツ名２０２０が「ＡＡＡＡＡ」のコンテンツに対応するアクションの購入確認の選択を受け付け、制御部１６０は、上記（ａ）で示したコンテンツを選択する。（図１４のステップＳ１０１）。これにより、購入を行うコンテンツが選択される。続いて、表示部１２０は、例えば図２４に示すようなコンテンツ購入確認画面２４００を表示する。コンテンツ購入確認画面２４００は、コンテンツ購入画面２３００で選択されたコンテンツ名が「ＡＡＡＡＡ」のコンテンツに関する情報、及びコンテンツの購入の決済に必要な情報を示す画面である。コンテンツ購入確認画面２４００は、コンテンツ名２３２０、利用条件２３３０、値段２３４０、端末ＩＤ２４１０、クレジット番号２４２０、及びアクション２４３０から構成される。
【００５９】
コンテンツ購入画面２３００で選択されたコンテンツに関する情報を確認するための項目として、表示部１２０はコンテンツ名２３２０が「ＡＡＡＡＡ」と、利用条件２３３０が「１時間利用可能」と、値段２３４０が「５０円」の項目を表示する。
端末ＩＤ２４１０は、コンテンツ購入確認画面が表示された際に、紹介装置１００によって読み出され、表示される。
【００６０】
クレジット番号２４２０は、コンテンツ購入確認画面が表示された際に、ユーザより入力される。ユーザ入力受付部１３０は、入力されたクレジット番号を受け付け、表示部１２０は、受け付けたクレジット番号を表示する。
アクション２４３０には、コンテンツの購入の決定を行う為に「購入」と「取消」が設定されている。
【００６１】
コンテンツ購入確認画面において、表示部１２０は、コンテンツ名２３２０、利用条件２３３０、値段２３４０、及び端末ＩＤ２４１０を表示し、ユーザ入力受付部１３０がコンテンツの購入に使用するクレジット番号２４２０の入力を受け付けた後、さらに購入の選択を受け付ける。これにより、コンテンツの購入を決定する。
つまり紹介装置１００は、コンテンツ購入画面において選択されたコンテンツの情報である、コンテンツ名２３２０「ＡＡＡＡＡ」と、利用条件２３３０「１時間利用可能」と、値段２３４０「５０円」の内容を確認のために表示部１２０により表示する。さらに、紹介装置１００固有の端末ＩＤ２４１０を読み出し、端末ＩＤ２４１０の欄に「ＩＤ１２３４５」の表示を行う。更に、コンテンツの購入に利用するクレジットカードの番号である「１２３４５６７８９０」をユーザ入力受付部１３０により受け付け（図１４のステップＳ１０２）、表示部１２０はクレジット番号２４２０の欄に表示する。最後に、コンテンツの購入を行う為に、ユーザよりアクション２４３０の欄の「購入」を受け付ける（図１４のステップＳ１０３でＮｏ）。購入確認が行われたコンテンツの購入を行う為、紹介装置１００は、コンテンツ購入確認画面に入力されている情報を配信装置２００に送信する。より詳細には、紹介装置１００は、コンテンツ購入確認画面において購入確認した各項目から、コンテンツ名２３２０「ＡＡＡＡＡ」と、端末ＩＤ２４１０「ＩＤ１２３４５」と、クレジット番号２４２０「１２３４５６７８９０」の情報とを図４に示すコンテンツ購入要求情報として作成し、配信装置２００へ送信する（図１４のステップＳ１０４）。
（コンテンツの配信、利用について）
コンテンツ購入要求情報２０を入出力部２１０より受信した配信装置２００は、コンテンツ購入要求情報２０に基づいて配信処理を行う。
【００６２】
まず、配信装置２００は、紹介装置１００から受信したコンテンツ購入要求情報２０のクレジット番号２４２０「１２３４５６７８９０」を該当するクレジット会社と照合する（図１５のステップＳ３０１）。ここでは、クレジット番号は正しいものとする。よって、照合した結果、クレジット番号は有効であるので、配信装置２００は、コンテンツ購入要求情報を図３に示す購入履歴として顧客情報管理部２２３に格納する（図１５のステップＳ３０３）。配信装置２００は、コンテンツ購入要求情報に記述されているコンテンツ名２３２０「ＡＡＡＡＡ」に対応するコンテンツと、そのコンテンツに対応するライセンスとを、コンテンツ管理部２２１と、ライセンス管理部２２２とから取り出し、紹介装置１００に送信し（図１５のステップＳ３０４）、配信処理を正常終了する。
【００６３】
紹介装置１００は、配信装置２００より送信されたコンテンツ名４０１０「ＡＡＡＡＡ」に対応するコンテンツとライセンスを入出力部１１０により受信し、格納する（図１２のステップＳ４００）。
上記のように配信装置２００からコンテンツ名２３２０が「ＡＡＡＡＡ」のコンテンツとライセンスを取得した紹介装置１００は、ユーザ入力に基づき、図２５に示すように、コンテンツ管理部１５１に格納されているコンテンツの一覧を表示部１２０により表示する。ユーザよりコンテンツ名「ＡＡＡＡＡ」について、アクション「視聴」の選択を受け付けると（図１６のステップＳ５０１でＹｅｓ）、再生処理部１４０は、コンテンツ名「ＡＡＡＡＡ」に対応するコンテンツをコンテンツ管理部１５１から、コンテンツ名「ＡＡＡＡＡ」に対応するライセンスをライセンス管理部１５２から取得する。そして、取得したライセンスの有効期限等の権利処理をした後、再生可能であればコンテンツを再生し（図１６のステップＳ５０２）、表示部１２０は再生されたコンテンツを表示する。上記のコンテンツの利用の際、再生処理部１４０は、コンテンツを再生して停止を行う度に（図１６のステップＳ５０３）、コンテンツの利用の実績を図４に示す視聴履歴として作成する（図１６のステップＳ５０４）。図４に示す視聴履歴は、紹介装置１００のコンテンツ再生に関する視聴履歴を示している。再生処理部１４０は、コンテンツ名「ＡＡＡＡＡ」のコンテンツに対して、コンテンツの開始０分の位置（コンテンツの先頭）からコンテンツの再生を行い、コンテンツの再生を１０分間行った後、コンテンツの再生を停止している。同様に、コンテンツ名「ＺＺＺＺＺ」のコンテンツに対して、コンテンツの開始５分の位置からコンテンツの再生を行い、コンテンツの再生を１５分行った後、コンテンツの再生を停止している。更に、コンテンツ名「ＡＡＡＡＡ」のコンテンツに対して、コンテンツの開始１５分の位置からコンテンツの再生を行い、コンテンツの再生を１５分行った後、コンテンツの再生を停止している。そして、再生処理部１４０は、作成した視聴履歴を視聴履歴格納部１０５３に格納する。
【００６４】
上記一連の処理により、紹介装置１００と配信装置２００を用いる事によって、コンテンツ名「ＡＡＡＡＡ」のコンテンツを取得、利用する事ができる。
（コンテンツの紹介情報作成について）
次に、紹介装置１００において、コンテンツ名「ＡＡＡＡＡ」に対応するコンテンツを紹介する情報を作成する処理を具体的に説明する。
【００６５】
コンテンツの紹介を行う場合は、まず、表示部１２０は、コンテンツ管理部１５１に格納されている全てのコンテンツと、各コンテンツに対するアクションの一覧とを例えば図２５に示すコンテンツ一覧画面として表示する。コンテンツ一覧画面は２５００、コンテンツ名７０１０と、アクション７０２０とから構成され、紹介装置１００内のコンテンツと各コンテンツに対するアクションのリストの構成を示す。
【００６６】
紹介装置１００は、所持しているコンテンツとして、コンテンツ名「ＡＡＡＡＡ」とコンテンツ名「ＺＺＺＺＺ」との２つのコンテンツを持ち、各コンテンツに対するアクションとして、「視聴」、「削除」、「紹介情報作成」、及び「配布許可紹介情報作成」を持つ。ユーザ入力受付部１３０は、コンテンツ名「ＡＡＡＡＡ」のコンテンツに対応するアクション７０２０の「紹介情報作成」を、ユーザより受け付ける（図１７のステップＳ６０１）。
【００６７】
コンテンツ一覧画面において「紹介情報作成」の選択を受け付けると、制御部１６０は、図２６に示す紹介情報作成画面２６００を表示部１２０に表示させる。紹介情報作成画面２６００は、コンテンツ名２３２０と、紹介コメント２６１０と、紹介動画区間２６２０と、アクション２６３０とから構成される。例えば、ユーザより「一度見て下さい。面白いですよ。」というテキスト入力を受け付けると（図１７のステップＳ６０２）、表示部１２０は、紹介コメント２６１０の欄に表示する。更に、紹介動画区間２６２０の設定において、ユーザより「コンテンツ開始０分から５分の区間」というテキスト入力を受け付けると（図１７のステップＳ６０３）、紹介動画区間２６２０の欄に表示する。
【００６８】
なお、テキスト入力を用いた紹介動画区間２６２０の記述は非常に困難を伴う事から、コンテンツステータスバー２６５０を用いて動画区間を指定し、紹介動画区間２６２０の記述欄の記述に反映する構成としても良い。コンテンツステータスバー２６５０は、コンテンツステータスバー２６５０の左端をコンテンツの開始位置、右端をコンテンツの終了位置、左端から右端の長さをコンテンツの長さとみなす事によって、コンテンツの相対的な位置選択を容易に行う事を可能とする表示方法である。
【００６９】
また、前記コンテンツステータスバー２６５０による動画区間の指定の際、動画描画枠２６４０を用いて動画情報を確認しながら指定できるようにしても良い。
続いて、ユーザ入力受付部１３０は、紹介コメント２６１０と紹介動画区間２６２０の入力を受け付けた後、図２７に示す紹介情報作成画面２７００において、紹介情報の作成を完了する為に、アクション２６３０の「作成完了」の項目の選択を受け付ける。紹介情報管理部１５４は、作成完了されたコンテンツの紹介情報を格納する。これにより、紹介装置１００はコンテンツの紹介情報を作成する処理を終了する。
【００７０】
上記一連の処理により、紹介装置１００は、コンテンツ名「ＡＡＡＡＡ」のコンテンツの紹介情報を作成する事ができる。
（コンテンツの配布許可紹介情報作成依頼について）
続いて、紹介装置１００から配信装置２００に対して、コンテンツの紹介情報の配布許可を依頼する処理を具体的に説明する。
【００７１】
コンテンツの紹介情報の配布許可を依頼する場合は、制御部１６０は、図２５に示すコンテンツ一覧画面において、コンテンツ名が「ＡＡＡＡＡ」のコンテンツに対応するアクションの「配布許可紹介情報作成」の項目をユーザ入力に基づいて選択する。
制御部１６０は、紹介情報管理部１５４を参照し、コンテンツ名が「ＡＡＡＡＡ」のコンテンツの紹介情報が作成されているので（図１８のステップＳ７０１でＹｅｓ）、図２８に示す紹介情報確認画面２８００を表示部１２０に表示させる。
【００７２】
紹介情報確認画面２８００は、コンテンツ名２３２０と、紹介コメント２６１０と、紹介動画区間２６２０と、追加確認事項２８１０と、アクション２６３０とから構成される。
追加確認事項２８１０は、コンテンツ名２３２０と紹介コメント２６１０と紹介動画区間以外に制御部１６０がユーザに確認しておく事項である。
【００７３】
制御部１６０は、紹介情報確認画面２８００において、入力されたコンテンツ名「ＡＡＡＡＡ」と、紹介コメント「一度見て下さい。面白いですよ。」と、紹介動画区間「コンテンツ開始０分から５分の区間」と、追加確認事項「端末ＩＤ「ＩＤ１２３４５」の情報を送信します」「コンテンツ「ＡＡＡＡＡ」の視聴履歴を送信します」の各情報とを、表示部１２０に表示させる。制御部１６０は、ユーザ入力に基づいてアクション２６３０の「作成依頼」の項目を選択する。
【００７４】
「作成依頼」が選択されると、入出力部１１０は、コンテンツ名２３２０、紹介コメント２６１０、紹介動画区間２６２０の各項目への入力内容と、追加確認事項である端末ＩＤ「ＩＤ１２３４５」と、コンテンツ名「ＡＡＡＡＡ」のコンテンツに関する全ての視聴履歴の情報を元にして、図６に示す配布許可依頼情報６０を作成し（図１８のステップＳ７０２）、配信装置２００へ送信する（図１８のステップＳ７０３）。
【００７５】
上記一連の処理により、紹介装置１００は、コンテンツ名２３２０が「ＡＡＡＡＡ」のコンテンツの紹介情報に対して、配信装置２００に配布許可依頼を行う事ができる。
（コンテンツの紹介情報の配布許可の判定について）
続いて、配布可否判定部２３０の処理について具体的に説明する。
配信装置２００は、配布許可依頼情報を受信すると（図１２のステップＳ８００）、顧客情報判定部２３１は顧客情報管理部２２３から、図３に示す購入履歴のうち、端末ＩＤ「ＩＤ１２３４５」に対応する購入履歴を取得する（図１９のステップＳ９０１）。顧客情報判定部２３１は、購入履歴から紹介装置１００がコンテンツ名「ＡＡＡＡＡ」とコンテンツ名「ＺＺＺＺＺ」の２つのコンテンツを購入した情報を取得する。端末ＩＤ２２が「ＩＤ１２３４５」である紹介装置１００が作成した配布許可依頼情報は、コンテンツ名として「ＡＡＡＡＡ」を含むので、顧客情報管理部２２３は、購入履歴にコンテンツ名「ＡＡＡＡＡ」が含まれていると判定する（図１９のステップＳ９０２でＹｅｓ）。次に、視聴履歴判定部２３２が配布許可視聴履歴条件管理部２２４から、図７に示す配布許可視聴履歴条件７０のうち、コンテンツ名「ＡＡＡＡＡ」のコンテンツに関する視聴履歴条件７１を取得する。コンテンツ名「ＡＡＡＡＡ」のコンテンツに関する視聴履歴条件は、「コンテンツを１回以上再生する」である。コンテンツ名「ＡＡＡＡＡ」のコンテンツに関し、紹介装置１００が作成した配布許可依頼情報には、視聴履歴として、再生開始ポイント「０分」から再生終了ポイント「１０分」まで再生時間「１０分」という情報と、再生開始ポイント「１５分」から再生終了ポイント「３０分」まで再生時間「１５分」という情報とが存在する。よって、視聴履歴判定部２３２は、紹介装置１００がコンテンツ名「ＡＡＡＡＡ」のコンテンツに対して、「コンテンツを１回以上再生する」事を満たしていると判定する（図１９のステップＳ９０６でＹｅｓ）。続いて、動画挿入判定部２３３が配布許可動画区間管理部２２５から、図８に示す配布許可動画区間管理条件８０のうち、コンテンツ名「ＡＡＡＡＡ」のコンテンツに関する動画区間条件を取得する。コンテンツ名「ＡＡＡＡＡ」のコンテンツに関する動画区間条件は、「コンテンツの開始０分から開始３分までの区間を含む」である。そしてコンテンツ名「ＡＡＡＡＡ」のコンテンツに関し、紹介装置１００が作成した配布許可依頼情報の紹介動画区間は、「コンテンツの開始０分から開始５分の区間」である。よって、動画挿入判定部２３３は、コンテンツの開始０分から開始５分の区間は、コンテンツの開始０分から開始３分までの区間を含んでいるので、配布許可依頼情報の紹介動画区間は、配布許可動画区間条件の動画区間条件を満たしていると判定する（図１９のステップＳ９０８でＹｅｓ）。
【００７６】
最後に、配布可否判定部２３０は、配布許可依頼情報の内容に対して、配布許可紹介情報の作成を許可し（図１９のステップＳ９０９）、配布許可紹介情報編集部２４０に処理を移す。
（コンテンツの配布許可紹介情報作成について）
紹介装置１００から受信した配布許可依頼情報６０に対して、配布を許可する場合に、配布許可紹介情報を作成する処理について具体的に説明する。
【００７７】
配信装置２００の配布可否判定部２３０の処理が終了し、配布許可紹介情報編集部２４０に処理が移る際に、配布許可紹介情報編集部２４０は、配布可否判定部２３０から配布許可依頼情報６０を受け取る。配布許可紹介情報編集部２４０は、コンテンツ取得先情報処理部２４１と、紹介動画情報処理部２４２と、署名処理部２４３とを用いて処理を行う。以下、配布許可紹介情報編集部２４０における処理を順に説明する。
【００７８】
コンテンツ取得先情報処理部２４１が端末ＩＤ２２と視聴履歴４０を削除することにより、配布許可依頼情報６０は、図９に示すコンテンツ名２１と、紹介コメント５１と、紹介動画区間５２の情報を持つ配布許可依頼情報９０となる（図２０のステップＳ１１０１）。配布許可依頼情報９０は、図５で示した紹介情報５０と同一である。さらに、配布許可依頼情報９０は、図１０に示すコンテンツ取得先情報１００１の構成を追加した配布許可依頼情報１０００となる。続いて、紹介動画情報処理部２４２は、コンテンツ取得先情報処理部２４１が作成した配布許可依頼情報のコンテンツ名と紹介動画区間を参照する。図１０に示す配布許可依頼情報１０００は、コンテンツ名「ＡＡＡＡＡ」、紹介動画区間「コンテンツの開始０分から開始５分の区間」の情報を持つ。紹介動画情報処理部２４２は、コンテンツ管理部２２１よりコンテンツ名「ＡＡＡＡＡ」のコンテンツのコピーを取得する。コンテンツ名「ＡＡＡＡＡ」のコンテンツのコピーを取得した紹介動画情報処理部２４２は、紹介動画区間「コンテンツの開始０分から開始５分の区間」にあたるコンテンツの部分を切り出し、紹介用の動画情報として作成する（図２０のステップＳ１１０３）。次に、紹介動画情報処理部２４２は、作成した紹介用の動画情報を、コンテンツ管理部２２１に格納する（図２０のステップＳ１１０４）。更に、紹介動画情報処理部２４２は、図１０に示す配布許可依頼情報１０００から、図１１に示す紹介情報取得先情報の構成を追加した配布許可紹介情報１１００を作成する（図２０のステップＳ１１０５、１１０６）。
【００７９】
本実施の形態において、紹介動画情報処理部２４２における上記処理を施した配布許可依頼情報を、配布許可紹介情報とする。
そして、署名処理部２４３は、公開鍵暗号手法に基づいて署名処理を行った後、紹介装置１００に送信する。
（被紹介装置における配布許可紹介情報の表示について）
被紹介装置３００は、図２２に示す検証処理を行い、その後、被紹介装置３００がコンテンツの紹介を受ける際において、制御部３６０は、配布許可紹介情報管理部３５３に格納している配布許可紹介情報を取得する。制御部３６０は、取得した配布許可紹介情報を元に、表示部３２０に紹介情報表示画面を表示させる。図２９は、被紹介装置３００の表示部３２０における紹介情報表示画面２９００を示している。紹介情報表示画面２９００は、アクション２９１０と、紹介動画２９２０と、コンテンツ名２３２０と、紹介コメント２６１０とから構成される。
【００８０】
紹介動画２９２０とは、配信装置２００により配信される動画情報である。紹介動画２９２０は、制御部３６０によって、配布許可紹介情報に記述される紹介動画取得先情報のＵＲＬ（ｈｔｔｐ．／／ｗｗｗ．ＣｏｎｔｅｎｔＳｈｏｐｐｉｎｇ．ｃｏｍ／ＣｏｎｔｅｎｔＭａｎａｇｅｍｅｎｔ／ＡＡＡＡＡ−ｓａｍｐ．ｍｐｇ）にアクセスされる。そして、表示部３２０は、配信装置２００からのストリーミング映像を紹介動画の欄に表示する。
【００８１】
以上により、紹介装置１００は、配信装置２００から購入したコンテンツ名「ＡＡＡＡＡ」のコンテンツを被紹介装置３００に紹介することができる。
被紹介装置３００は、コンテンツを購入する場合、アクション２９１０の「購入」の選択をユーザより受け付ける。被紹介装置３００は、配布許可紹介情報のコンテンツ取得先情報（ｈｔｔｐ．／／ｗｗｗ．ＣｏｎｔｅｎｔＳｈｏｐｐｉｎｇ．ｃｏｍ／ｉｎｄｅｘ．ｈｔｍｌ）にアクセスし、コンテンツ名「ＡＡＡＡＡ」に対するコンテンツ購入確認画面を表示部３２０に表示する。以降、被紹介装置３００は、コンテンツ購入確認画面を用いたコンテンツの購入処理や、コンテンツ一覧画面を用いたコンテンツの利用処理を行う事によって、コンテンツの購入や利用を行う。
＜補足＞
以上、本発明に係る紹介装置について、実施の形態に基づいて説明したが、本発明は上記の実施の形態に限られないことは勿論である。
【００８２】
本実施の形態において、配信装置２００における構成要素である情報管理部２２０のうち、コンテンツ管理部２２１、ライセンス管理部２２２、及び顧客情報管理部２２３を、図３０に示すショップ装置３０００の構成要素とし、配信装置２００の前記構成要素における処理を、ショップ装置３０００の構成要素における処理とするようにしても良い。ショップ装置３０００の各構成要素における処理は、配信装置２００の構成要素として構成していた場合と同様である。
【００８３】
上記実施の形態において、紹介装置１００の入出力部１１０は、ネットワーク４００を介さず、配信装置２００ａの入出力部２１０と直接情報の送受信を行う図３１に示すような構成としても良い。この場合、紹介装置１００は、配信装置２００ａとはネットワーク４００を介さず直接情報の送受信を行い、被紹介装置３００或いはショップ装置３０００とは、入出力部１１０を介して、ネットワーク経由で情報の送受信を行う。この構成は、特に紹介装置１００をカード装置とする場合に有効である。
【００８４】
上記実施の形態において、紹介装置１００は携帯電話機としたが、デジタルテレビ、PDA（Personal Digital Assistance）等であっても良い。
上記実施の形態において、コンテンツの配信・紹介システムは、例えば家庭内で構築される各装置を結ぶホームネットワークの一部または全部であってもよいし、各種機能を有する単体の装置として構成するとしても良い。
【００８５】
上記実施の形態において、コンテンツは動画として説明したが、静止画、音楽等のＡＶメディアとしても良いし、インターネット上で扱われる商品としても良いし、紹介を行う事ができる対象と定める事ができれば特に問題は無い。コンテンツを動画以外と捉える場合、配信装置の構成要素における処理は、例えば、配布可否判定部２３０において、顧客情報判定部２３１はユーザがコンテンツを購入したかどうかを、視聴履歴判定部２３２はユーザがコンテンツに望まれる利用を行ったかどうかを、動画挿入判定部２３３はユーザがコンテンツに望まれる部分を推薦しているかどうかを、それぞれ判断するというように処理の定義を柔軟に設定すればよい。また、扱うコンテンツの種類や各装置の状況によって、図示していない配布許可定義設定部を用いて、配布可否判定部２３０や配布許可紹介情報編集部２４０で行う処理を適宜変更してもよい。
【００８６】
上記実施の形態において、コンテンツはファイルの形態で紹介装置１００のコンテンツ管理部１５１に蓄積するが、ストリーミングの形態で配信装置２００より取得しても良い。
上記実施の形態において、コンテンツやライセンスの取得先は配信装置２００に限らず、ＣＤやＤＶＤ等の記録メディアに格納されているコンテンツやライセンス等を、入出力部１１０によって受信し、紹介装置１００に蓄積する形態であっても良い。
【００８７】
上記実施の形態において、記憶媒体（ＲＯＭ、ＲＡＭ、ハードディスク等）に格納された上述した処理手順を実行可能な所定のプログラムデータが、ＣＰＵによって解釈実行されることで実現されるが、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。
【００８８】
上記の実施形態において、紹介装置１００について説明したが、本発明は上記フローチャートで示したステップを含む方法、上記フローチャートで示したステップをコンピュータに実行させるプログラムコードを含むプログラム、コンピュータ読み取り可能な記録媒体、及びシステムＬＳＩ等の集積回路であっても良い。配布可否判定部２３０、配布許可紹介情報編集部２４０等の各機能ブロックは典型的には集積回路であるＬＳＩとして実現される。これらは個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【００８９】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサー を利用しても良い。
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。 
【００９０】
上記の実施形態において、コンテンツの利用は、当該コンテンツの視聴履歴により判断したが、例えばコンテンツに対するクイズを出題し、クイズに正解することによってコンテンツを利用したとみなしても良い。
また、紹介装置が配布許可依頼情報を配信装置に送信する際に、紹介装置が署名処理を行っても良い。
【００９１】
これにより、紹介装置が配信装置に送信した配布許可依頼情報と、紹介装置が配信装置から受信した配布許可紹介情報において、紹介装置が改ざんの有無を検証することが可能となる。
また、配信装置が配布許可依頼情報を作成する際、配布許可依頼情報は識別可能な固有ＩＤを含むとしても良い。
【００９２】
これにより、被紹介装置がコンテンツを購入する際に、コンテンツ購入要求情報と併せて固有ＩＤを配信装置に送信することにより、紹介装置へのキックバック等のサービスを実現することができる。
以上、本発明に関して最適な実施の形態について詳細な説明を行ったが、本発明は上記実施の形態に縛られるものではなく、特許請求の範囲内において想定される変更や追加等を行う事が可能である事は容易に想定できる。
【産業上の利用可能性】
【００９３】
本発明を構成する情報通信端末及び配信装置は、製造産業において経営的に、また継続的及び反復的に製造し、販売することができる。特に、ネットワークに接続された機器間におけるコンテンツ紹介技術等として有用である。
【図面の簡単な説明】
【００９４】
【図１】本実施の形態におけるコンテンツ配信・紹介システムの全体構成図である。
【図２】紹介装置１００から配信装置２００へ送信されるコンテンツ購入要求情報２０を示す図である。
【図３】配信装置２００に格納される購入履歴３０を示す図である。
【図４】紹介装置１００が作成する視聴履歴４０を示す図である。
【図５】紹介装置１００が作成する紹介情報５０を示す図である。
【図６】紹介装置１００から配信装置２００へ送信される配布許可依頼情報６０を示す図である。
【図７】配信装置２００が保持する配布許可視聴履歴条件７０を示す図である。
【図８】配信装置２００が保持する配布許可動画区間条件８０を示す図である。
【図９】配布許可依頼情報６０から項目除去処理が施された後の配布許可依頼情報９０を示す図である。
【図１０】配布許可依頼情報９０にコンテンツ取得先情報１００１の項目を加えた後の配布許可依頼情報１０００を示す図である。
【図１１】配信装置２００から紹介装置１００に送信される配布許可紹介情報１１００を示す図である。
【図１２】システム全体の処理の流れを示すフローチャートである。
【図１３】システム全体の処理の流れを示すフローチャートである。
【図１４】紹介装置１００におけるコンテンツ購入処理を示すフローチャートである。
【図１５】配信装置２００におけるコンテンツ配信処理を示すフローチャートである。
【図１６】紹介装置１００におけるコンテンツ視聴処理を示すフローチャートである。
【図１７】紹介装置１００における紹介情報作成処理を示すフローチャートである。
【図１８】紹介装置１００における紹介情報配布許可依頼処理を示すフローチャートである。
【図１９】配信装置２００における配布許可判定処理を示すフローチャートである。
【図２０】配信装置２００における配布許可紹介情報編集処理を示すフローチャートである。
【図２１】配信装置２００における署名処理を示すフローチャートである。
【図２２】被紹介装置３００における署名の検証処理を示すフローチャートである。
【図２３】紹介装置１００におけるコンテンツ購入画面の表示例を示す図である。
【図２４】紹介装置１００におけるコンテンツ購入確認画面の表示例を示す図である。
【図２５】紹介装置１００におけるコンテンツ一覧画面の表示例を示す図である。
【図２６】紹介装置１００におけるユーザ入力前の紹介情報作成画面の表示例を示す図である。
【図２７】紹介装置１００におけるユーザ入力後の紹介情報作成画面の表示例を示す図である。
【図２８】紹介装置１００における紹介情報確認画面の表示例を示す図である。
【図２９】被紹介装置３００における紹介情報表示画面の表示例を示す図である。
【図３０】ショップ装置３０００の構成を考慮した場合のコンテンツ配信・紹介システムの全体構成図である。
【図３１】配信装置１００がカード形状である構成を考慮した場合のコンテンツ配信・紹介システムの全体構成図である。
【符号の説明】
【００９５】
１００  紹介装置
１１０  入出力部
１２０  表示部
１３０  ユーザ入力受付部
１４０  再生処理部
１５０  情報管理部
１５１  コンテンツ管理部
１５２  ライセンス管理部
１５３  視聴履歴管理部
１５４  紹介情報管理部
１５５  配布許可紹介情報管理部
１５６  メールアドレス管理部
１６０  制御部
２００  配信装置
２１０  入出力部
２２０  情報管理部
２２１  コンテンツ管理部
２２２  ライセンス管理部
２２３  顧客情報管理部
２２４  配布許可視聴履歴条件管理部
２２５  配布許可動画区間管理部
２２６  署名管理部
２２７  配布許可紹介情報管理部
２３０  配布可否判定部
２３１  顧客情報判定部
２３２  視聴履歴判定部
２３３  動画挿入判定部
２４０  配布許可紹介情報編集部
２４１  コンテンツ取得先情報処理部
２４２  紹介動画情報処理部
２４３  署名処理部
３００  被紹介装置
３１０  入出力部
３２０  表示部
３３０  ユーザ入力受付部
３４０  再生処理部
３５０  情報管理部
３５１  コンテンツ管理部
３５２  ライセンス管理部
３５３  配布許可紹介情報管理部
３６０  制御部
３０００ショップ装置
【図１】
2007179223.tif 000003
【図２】
2007179223.tif 000004
【図３】
2007179223.tif 000005
【図４】
2007179223.tif 000006
【図５】
2007179223.tif 000007
【図６】
2007179223.tif 000008
【図７】
2007179223.tif 000009
【図８】
2007179223.tif 000010
【図９】
2007179223.tif 000011
【図１０】
2007179223.tif 000012
【図１１】
2007179223.tif 000013
【図１２】
2007179223.tif 000014
【図１３】
2007179223.tif 000015
【図１４】
2007179223.tif 000016
【図１５】
2007179223.tif 000017
【図１６】
2007179223.tif 000018
【図１７】
2007179223.tif 000019
【図１８】
2007179223.tif 000020
【図１９】
2007179223.tif 000021
【図２０】
2007179223.tif 000022
【図２１】
2007179223.tif 000023
【図２２】
2007179223.tif 000024
【図２３】
2007179223.tif 000025
【図２４】
2007179223.tif 000026
【図２５】
2007179223.tif 000027
【図２６】
2007179223.tif 000028
【図２７】
2007179223.tif 000029
【図２８】
2007179223.tif 000030
【図２９】
2007179223.tif 000031
【図３０】
2007179223.tif 000032
【図３１】
2007179223.tif 000033